(57)【要約】【課題】一足のブーツを上下において互い違いになるよう支持するブーツスタンドを簡単な構成にし、低コストで製造できるようにする。【解決手段】ブーツスタンド(10)は、基板(20)と、該基板(20)と一体或いは別体のスタンド本体(30)とから成る。スタンド本体(30)は、一方のブーツ(51)を上下逆さまにして支持する第１の支持片(31)と、他方のブーツ(52)を支持する第２の支持片(34)と、これら支持片(31,34)を一体的に連結するリンク部(35)とを含む。第１の支持片(31)と、第２の支持片(34)とは、リンク部(35)を介在して離隔している。リンク部(35)の下端部は第１の支持片(31)の基端部(32)から延び、リンク部(35)の上端部分からは、第２の支持片(34)が下方に向けて延びている。【選択図】図２
2007275224.tif 000002
【特許請求の範囲】
【請求項１】
基板と、
該基板上に立設され、一足のブーツが上下互い違いに組み合わされて支持するためのスタンド本体と、
からなり、前記スタンド本体は、
前記基板の一方のサイドである第１のサイド近傍から上方に向けて延び、前記一足のブーツのうちの一方のブーツを上下逆さまにして支持するための第１の支持片と、
前記第１の支持片に対して前記基板の第２のサイド方向に離隔して下方に向けて延び、前記一足のブーツのうちの他方のブーツを支持するための第２の支持片と、
前記第１の支持片の基端部と、前記第２の支持片の上端部とを一体的に連結するリンク部と、
前記第２の支持片の上端部から延長部を介して前記第１の支持片に向けて一体的に延びる取っ手と、
からなるブーツスタンド。
【請求項２】
前記基板と前記スタンド本体は、合成樹脂材からなり、一体的となっていることを特徴とする請求項１に記載のブーツスタンド。
【請求項３】
前記第１の支持片は、その上端部に抗菌剤及び消臭剤の少なくとも１つを備えていることを特徴とする請求項１に記載のブーツスタンド。
【請求項４】
前記第１の支持片は、その上端部に滑り止め手段を備えていることを特徴とする請求項１に記載のブーツスタンド。
【請求項５】
前記各ブーツの形状の型くずれを防止し、各ブーツを前記第１及び第２の支持片に固定するために、各支持片に少なくとも１つ装着される弾性保持部材を備えていることを特徴とする請求項１に記載のブーツスタンド。
【請求項６】
前記第１の支持片及び第２の支持片は、前記弾性保持部材がずれないように係止するめに形成された首部を有することを特徴とする請求項５に記載のブーツスタンド。
【請求項７】
前記リンク部は、前記第１の支持片の基端部から前記基板の他方のサイドである第２のサイド方向に向けて且つ上方に向けて傾斜する第１の接続部と、該第１の接続部の先端部から上方にむけて向けて延びる長尺部と、該長尺部の上端部から前記第１の接続部と略平行に前記第２のサイド方向に向けて延びる第２の接続部と、からなることを特徴とする請求項１に記載のブーツスタンド。
【請求項８】
前記長尺部は、上部に向けて前記第１の支持片の方向に傾いていることを特徴とする請求項７に記載のブーツスタンド。
【請求項９】
前記傾斜している第１の接続部と前記基板とで、他方のブーツのつま先部分が位置するための第１のフットポケットが形成され、前記傾斜している第２の接続部と前記取っ手とで、一方のブーツのつま先部分が位置するための第２のフットポケットが形成されていることを特徴とする請求項７に記載のブーツスタンド。
【請求項１０】
前記他方のブーツの踵部を支持するための前記基板の第２のサイドは、前記第２の支持片の下端部の下方への延長線上にあることを特徴とする請求項１に記載のブーツスタンド。
【請求項１１】
前記第２の支持片は、前記第１の支持片の長さよりも短くなっており、該第２の支持片の下端部と前記基板との間隔が広くなっていることを特徴とする請求項１０に記載のブーツスタンド。
【請求項１２】
前記基板の第２のサイドが前記第２の支持片の下端部の下方への延長線上にないよう、前記基板は短いことを特徴とする請求項１に記載のブーツスタンド。
【請求項１３】
前記第１の支持片、第２の支持片、及び取っ手の強度を高めるため、これらの断面は三角形に形成されていることを特徴とする請求項１に記載のブーツスタンド。
【請求項１４】
前記第１の支持片、第２の支持片、リンク部、及び取っ手の強度を高めるため、これらの断面は十字状に形成されていることを特徴とする請求項１に記載のブーツスタンド。
【発明の詳細な説明】
【技術分野】
【０００１】
本発明は、一足のブーツを型くずれしないように支持するブーツスタンドに関し、特に一足のブーツがスペースをとらずにコンパクトになるようにした改良されたブーツスタンドに関する。
【背景技術】
【０００２】
近年、足のふくらはぎ部分まで覆うようにしたブーツが流行している。このブーツは、寒い日には足元が温かく、履くと脚にフィットし脚が細く長く見えてファッション性が高くなることにより、女性、特に若い女性に人気がある。
【０００３】
しかし、このようなふくらはぎ部分に対応する筒部分を有するブーツは、ぬいだ後、上記筒部分が長いためダラリと途中から折れ曲がったり、倒れ易いという問題点がある。特に、筒部分が折れ曲がると、型くずれが生じて好ましくない。
【０００４】
そこで、ブーツの筒部分が折れないように、該筒部分に対応した形状の樹脂製或いは木製からなるブーツキーパーを該筒部分に嵌め込み、該筒部分の形状を保持するようにしていた。そして、夏などロングブーツを使用しない期間においては、左右の筒部分の開口エッジ部分同士をクリップで挟んで一足のロングブーツを保管するようにしていた。
【０００５】
このような、長期間の保存においても型くずれが生じないようにしたブーツスタンドの一例について、図１５に基づいて説明する。
【０００６】
図１５の実線で示されたブーツスタンド４００は、弾性を有する割ピン状の挟持金具４０２と、該挟持金具４０２の下部に取り付けられた左右一対のブーツキーパー４０４，４０４とから構成されている。
【０００７】
挟持金具４０２は、一対の弾性片４０６，４０６と、その上端部に形成されたリング状の掛け止め部４０８とが一体的に形成されている。一対の弾性片４０６，４０６の上部には、該一対の弾性片４０６，４０６の上部側が開かないようにするための止め具４１０が固着されている。つまり、止め具４１０から下部分の弾性片４０６，４０６は弾性的に開くが、上部側は開かないようになっている。
【０００８】
一対のブーツキーパー４０４，４０４の各々は、前記一対の弾性片４０６，４０６の各々に固着されている。各ブーツキーパー４０４は、筒形状をしており、その筒幅は、ブーツ４２０の筒状部４２２の幅に合わせて調節できるようになっている。このブーツキーパー４０４は、ブーツ４２０の筒状部４２２内に挿入してブーツ４２０の型くずれを防止する。
【０００９】
このようなブーツスタンド４００を使用するには、先ず、ブーツキーパー４０４，４０４の各々を、各ブーツ４２０の筒状部４２２の開口部４２４から筒状部４２２内に挿入する。この際、一対の弾性片４０６，４０６を矢印で示すように左右に手で開く。手を離すことにより一対の弾性片４０６，４０６で一足のブーツ４２０を挟み付ける。このままの状態でブーツ４２０を保管する。壁あるいは下駄箱内に設けられたフックに掛け止め部４０８を引っ掛けて保管するようにしてもよい。
【００１０】
しかし、上記ブーツスタンド４００は、ブーツ４２０が型くずれを起こさない点では好ましいが、次の点で問題を有している。
【００１１】
第１に、左右一対のブーツ４２０を単に幅方向に挟み付けているため、広い保管スペースが必要となり、特に下駄箱内で保管するには問題がある。
【００１２】
第２に、ブーツ４２０の筒状部４２２同士を密着するようにして弾性片４０６，４０６で挟み付けているため、オフシーズンなど、長期間保管しておくと、密着した部分にカビが発生し易い。
【００１３】
そこで、本願出願人は、特許文献１において、幅方向にスペースをとることなく、長期間保管してもカビが生えにくく、かつ、ブーツが型くずれしないように保管あるいは整理することができるブーツスタンドを提案した。
【００１４】
このブーツスタンドは、筒形状をした一対のブーツキーパーと、各ブーツキーパーの上部に揺動自在に設けられたつま先保持具とからなっている。ブーツの筒状部内に上記ブーツキーパーを差し込み、つま先部分はつま先保持具内に収容され保持される。一対のブーツを上下において互い違いに組み合わせることにより、片方のブーツの幅で収まると共に、足の大きさ方向に組み合わせた一対のブーツの長さに略収まり、下駄箱内で保管するには余計なスペースを必要としないため、好都合である。
【００１５】
しかし、上記ブーツスタンドは、ブーツキーパーと、つま先保持具とか構成されているため、その製造において面倒である他、コストが掛かるという不都合がある。さらに、ブーツのつま先部分をつま先保持具内に挿入し、該つま先部分が抜けないように面ファスナー等で保持する必要があり、面倒であった。さらにまた、上記ブーツスタンドは、左右一対のブーツスタンドからなり、且つ各ブーツスタンドは、前述したようにブーツキーパーとつま先保持具の２つの部品からなり、全体として外観的に必ずしも優れたものとは言い難かった。
【００１６】
【特許文献１】特開２００２−１５３３７０
【発明の開示】
【発明が解決しようとする課題】
【００１７】
本発明は上記点に着目してなされたものであって、製造が簡単で且つコストが掛からず、外観的にも優れたブーツスタンドを提供することを課題とする。
【課題を解決するための手段】
【００１８】
上記課題を解決するため、本発明は、基板と、該基板上に立設され、一足のブーツが上下互い違いに組み合わされて支持するためのスタンド本体と、からなり、前記スタンド本体は、前記基板の一方のサイドである第１のサイド近傍から上方に向けて延び、前記一足のブーツのうちの一方のブーツを上下逆さまにして支持するための第１の支持片と、前記第１の支持片に対して前記基板の第２のサイド方向に離隔して下方に向けて延び、前記一足のブーツのうちの他方のブーツを支持するための第２の支持片と、前記第１の支持片の基端部と、前記第２の支持片の上端部とを一体的に連結するリンク部と、前記第２の支持片の上端部から延長部を介して前記第１の支持片に向けて一体的に延びる取っ手と、からなるブーツスタンドを提供する。
【００１９】
このように、本発明のブーツスタンドは、基本的に基板とスタンド本体とからなる構成であるため、低コストで製造することができる。さらに、各ブーツを各支持片に対して差し入れるだけであるため、簡単に収納することができる。
【００２０】
前記基板と前記スタンド本体は、好ましくは、合成樹脂材からなり、一体的となっている。金型で一体成形することができる。
【００２１】
前記第１の支持片は、その上端部に抗菌剤及び消臭剤の少なくとも１つを備えるようにすれば、該上端部に接触する一方のブーツの土踏まず部分にカビ等が発生することを防ぐことができるので好ましい。
【００２２】
前記第１の支持片は、その上端部に滑り止め手段を備えていれば、第１の支持片に対して一方のブーツがずれることがなく好ましい。
【００２３】
スタンド本体は、各支持片に少なくとも１つ装着される弾性保持部材を備えていれば、各ブーツの形状の型くずれが防止され、各ブーツは前記第１及び第２の支持片に確実に支持されるので好まし。
【００２４】
前記第１の支持片及び第２の支持片は、好ましくは、前記弾性保持部材がずれないように係止するめに形成された首部を有する。
【００２５】
前記リンク部は、前記第１の支持片の基端部から前記基板の他方のサイドである第２のサイド方向に向けて且つ上方に向けて傾斜する第１の接続部と、該第１の接続部の先端部から上方にむけて向けて延びる長尺部と、該長尺部の上端部から前記第１の接続部と略平行に前記第２のサイド方向に向けて延びる第２の接続部と、から構成されている。従って、第１の支持片と第２の支持片とは、リンク部を介在して一体的に離隔して配置される。
【００２６】
前記長尺部は、上部に向けて前記第１の支持片の方向に傾くようにすれば、各ブーツを各支持片に係止した際、傾斜している各ブーツの向こう脛に対応するので好ましい。
【００２７】
前記傾斜している第１の接続部と前記基板とで、他方のブーツのつま先部分が位置するための第１のフットポケットが形成され、前記傾斜している第２の接続部と前記取っ手とで、一方のブーツのつま先部分が位置するための第２のフットポケットが形成されている。従って、一足のブーツを上下互い違いに組み合わせて各支持片に支持した際、一足のブーツは、全体としてコンパクトに収まる。
【００２８】
前記他方のブーツの踵部を支持するための前記基板の第２のサイドは、前記第２の支持片の下端部の下方への延長線上にあれば、他方のブーツは安定した状態で支持される。
【００２９】
前記第２の支持片は、前記第１の支持片の長さよりも短くなっており、該第２の支持片の下端部と前記基板との間隔が広くなるようにすれば、他方のブーツを第２の支持片に支持する際、簡単であるため好ましい。
【００３０】
前記基板の第２のサイドが前記第２の支持片の下端部の下方への延長線上にないよう、前記基板は短くすれば、他方のブーツを第２の支持片に支持する際、スムーズに行うことができるので好ましい。
【００３１】
前記第１の支持片、第２の支持片、及び取っ手の強度を高めるため、これらの断面は三角形に形成されている。前記第１の支持片、第２の支持片、リンク部、及び取っ手の強度を高めるため、これらの断面は十字状に形成されている。従って、取っ手を握って持ち運んでも十分に一足のブーツの重量に耐えることができる。
【発明を実施するための最良の形態】
【００３２】
以下、本発明を図面に示した好ましい幾つかの実施例に基づいて詳細に説明するが、本発明の技術的範囲は、添付図面に示された実施例に限定されるものではなく、特許請求の範囲に記載された技術的範囲内において適宜変更が可能である。
【００３３】
図１及び図２は、本発明の第１実施例に係るブーツスタンド１０を示している。該ブーツスタンド１０は、基板２０とスタンド本体３０とを含む。本実施例のブーツスタンド１０は、木材、合成樹脂材、或いはステンレス等からなる金属から製作される。木材で製作するときには、基板２０とスタンド本体３０とを別々に製作し、これらを少なくとも１つの木ねじで結合する。合成樹脂材で製作すると、基板２０とスタンド本体３０を図示しない金型で一体成形することができ、製作が簡単となり、安価なブーツスタンド１０を提供することができる他、軽量であるため持ち運びに便利であり好ましい。ステンレス等金属で製作すると、重たくなるため持ち運びには不便であるが、意匠的に高級感があり、販売店でブーツを展示する際、及び玄関に置くときにも装飾的効果が高い。
【００３４】
前記基板２０は、図１に示すように、一方向に延び、長手方向の略中間部が一方向に直交する幅方向において他の幅寸法よりも大きくなっている。つまり、基板２０は平面視菱形形状をしている。このように、基板２０の長手方向中間部の幅寸法を大きくすることにより、ブーツスタンド１０は安定する。
【００３５】
前記スタンド本体３０は、基板２０の長手方向の一方のサイド（第１のサイド）２０ａの上面から上方に向けて延びるよう立設した板状の第１の支持片３１を含んでいる。この第１の支持片３１は、下端部である基端部３２から上端部３３に向けて板幅が徐々に狭くなっている。第１の支持片３１は、図２に示すように一足のブーツ５０のうちの一方のブーツ５１を上下逆さまにして支持する。一方のブーツ５１の脛に相当する筒状部５１ａの開口５１ｂを第１の支持片３１の上端部３３に位置し、一方のブーツ５１を第１の支持片３１に沿って下方に下ろす。上端部３３が一方のブーツ５１の土踏まず５１ｃに当接することによって、該一方のブーツ５１は、第１の支持片３１に支持される。
【００３６】
前記上端部３３は、一方のブーツ５１の土踏まず５１ｃに接触するため、抗菌剤及び／又は消臭剤を有するのが好ましい。さらに、前記土踏まず５１ｃは傾斜しているため、前記上端部３３に滑り止め、例えばゴム部材（合成ゴムを含む。）を設けたり、或いは上端部３３の表面にギザギザ面を形成するのが好ましい。
【００３７】
さらに、前記スタンド本体３０は、前記第１の支持片３１と第２の支持片３４とを離隔して連結するリンク部３５を含んでいる。該リンク部３５は、前記第１の支持片３１の基端部３２から前記基板２０の第１のサイド２０ａとは反対側の他方のサイド（第２のサイド）２０ｂに向けて、且つ上方に向けて傾斜するよう突出する第１の接続部３５ａと、該第１の接続部３５ａの先端部から上方に向けて延びる長尺部３５ｂと、該長尺部３５ｂの上端部から前記第１の接続部３５ａと略平行に前記第２のサイド２０ｂに向けて延びる第２の接続部３５ｃとからなる。
【００３８】
前記長尺部３５ｂは、図２に示すように一方のブーツ５１及び他方のブーツ５２の向こう脛部５１ｄ，５２ｄの傾斜と略平行となるよう上端部に向けて第１の支持片３１方向に傾斜している。
【００３９】
前記傾斜している第１の接続部３５ａと前記基板２０とで、他方のブーツ５２のつま先部分５２ｅ（図２参照）が位置する第１のフットポケット３６が形成されている。
【００４０】
前記第２の支持片３４は、第２の接続部３５ｃの先端部から下方に向けて垂直に延びている。他方のブーツ５２の開口５２ｂから脛に相当する筒条部５２ａに向けて第２の支持片３４の下端部３７を差し入れる。他方のブーツ５２の踵部５２ｃは、前記基板２０の第２のサイド２０ｂ上に載置される。この他方のブーツ５２は、前記第２の支持片３４と基板２０とによって支持される。
【００４１】
前記第２の支持片３４及び前記第２の接続部３５ｃの交差部分から上方に向けて延長部３８が垂直に延びている。この延長部３８の上端部から第１の支持片３１方向に向けて水平に取っ手３９が延びている。
【００４２】
前述したように、一方のブーツ５１を上下逆さまにして前記第１の支持片３１に支持した際、該一方のブーツ５１のつま先部分５１ｅは、前記取っ手３９、延長部３８、および第２の接続部３５ｃによって形成される第２のフットポケット４０に位置する。
【００４３】
従って、図２に示されるように、一足のブーツ５０の各々５１，５２が各支持片３１，３４に上下互い違いに組み合わされて支持されるため、一足のブーツ５０は、足の大きさ方向においてコンパクトに収まる。しかし、リンク部３５が一足のブーツ５０間に介在しているため、各々ブーツ５１，５２は接触することがなく、カビ等が発生することがない。
【００４４】
前記取っ手３９の下面には、ブーツスタンド１０を持ち運びするために該取っ手３９を手で握った際、指が痛くならないよう、且つ滑らないように該複数の指の形に合うよう波部３９ａが形成されている。
【００４５】
図１及び図２に示した第１実施例のブーツスタンド１０においては、第２の支持片３４は、第１の支持片３１よりも長さが短くなっている。具体的には、第２の支持片３４の下端部３７と基板２０との間隔を大きくし、開口５２ｂから他方のブーツ５２を第２の支持片３４に差し入れ易いようにしている。
【００４６】
図２に示すように、第１の支持片３１および第２の支持片３４には、第１の弾性保持部材４１が取付けられている。該第１の弾性保持部材４１は、第１の支持片３１および第２の支持片３４に各ブーツ５１，５２を支持した際、各ブーツ５１，５２の筒状部５１ａ，５２ａの形状を保持し、且つ各支持片３１，３４に対して各ブーツ５１，５２がぐらつかないように固定する。
【００４７】
前記第１の弾性保持部材４１は、各ブーツ５１，５２の開口５１ｂ，５２ｂの近傍位置となるように第１および第２の支持片３１，３４に取付けられる。
【００４８】
第１の支持片３１には、一方のブーツ５１が上下逆さまに第１の支持片３１の上端部３３に支持されることにより不安定になるおそれがあるため、該ブーツ５１の足首部近辺位置となるように第２の弾性保持部材４２が設けられている。つまり、第１の支持片３１は、その基端部３２寄りの位置に第１の弾性保持部材４１を有し、上端部３３寄りの位置に第２の弾性保持部材４２を有するのが好ましい。第２の弾性保持部材４２は、第１の弾性保持部材４１よりも小さい。
【００４９】
第１の弾性保持部材４１および第２の弾性保持部材４２は、同一の材質から作製されており、例えば、発砲材料、合成ゴムなどからなる合成樹脂材料などで作製される。
【００５０】
第１の弾性保持部材４１については、図３及び図４に例示として示されている。この第１の弾性保持部材４１は、外周面となる両端に円弧部４３，４３を有する平面視長方形をしている。図には示していないが、第２の弾性保持部材４２も同様の形状をしている。第１の弾性保持部材４１の中央部分には、第１の支持片３１および第２の支持片３４が挿通する取付孔４４が形成されている。該取付孔４４に第１支持片３１の上端部３３および第２の支持片３４の下端部３７を通し、最後は圧入するようにして第１及び第２の支持片３１，３４の各々に第１の弾性保持部材４１を装着する。
【００５１】
第１の弾性保持部材４１の円弧部４３，４３からなる外周面は、各ブーツ５１，５２の内周面と接触するため、該外周面はカビの発生を防止するために抗菌剤で表面処理するのが好ましい。
【００５２】
図３に示した上記第１の弾性保持部材４１は、平面視長方形の例を示しているが、本発明においては、これに限定されず、例えば、平面視円形であってもよく、さらには、ブーツの筒状部の形状に近づけるよう平面視楕円形であってもよい。さらにまた、図５に示すように、上記第１の弾性保持部材４１は、両端サイド或いは外周部分の上下面が径外方に向けて徐々に薄くなるよう傾斜した形状であってもよい。第２の弾性保持部材４２も大きさが異なるだけであって、第１の弾性保持部材４１と同様の材質及び形状をしている。
【００５３】
第１の弾性保持部材４１の外周面間の距離は、各ブーツ５１，５２の筒状部５１ａ，５２ａの内径よりも大きくなっている。これらブーツ５１，５２内に各第１の弾性保持部材４１が嵌ることにより、各ブーツ５１，５２は接触部分において拡張され、確実に第１の弾性保持部材４１に支持される。第２の弾性保持部材４２も同様の作用をする。
【００５４】
図５及び図６は、第１の弾性保持部材４１を係止する第２の支持片３４の変形例を示している。この変形例の第２の支持片３４は、前記第１の弾性保持部材４１を係止するため、該係止位置に他の部分よりも板厚及び幅が小さくなるよう形成された首部３４ａを有している。第１の弾性保持部材４１に形成された取付孔４４ａは、該首部３４ａよりも僅かに小さく形成されている。従って、第２の支持片３４は、首部３４ａによって段部が形成されるため、この首部３４ａに第１の弾性保持部材４１を係止すると、該第１の弾性保持部材４１は、前記段部により確実に第２の支持片３４に支持される。よって、他方のブーツ５２は安定して支持される。第１の支持片３１も図５及び図６に示した第２の支持片３４と同様に首部を形成するのが好ましい。
【００５５】
図７〜図１１は、第２実施例のブーツスタンド１１０を示している。この第２実例のブーツスタンド１１０は、基板１２０が、図１及び図２に示した第１実施例のブーツスタンド１０の基板２０よりも前後方向において短くなっている点と、第２の支持片１３４が長い点と、スタンド本体１３０を構成する各部材の断面が異なっている。
【００５６】
このように、第２の支持片１３４が下方に向けて長く延びた分、基板１２０を短くすることによって、第２の支持片１３４の下端部１３７の下方位置に基板１２０が位置しないようにし、他方のブーツ５２を第２の支持片１３４に差し込み易くしたものである。該基板１２０の長さとしては、他方のブーツ５２のつま先部分５２ｅが載置される長さであればよく、第１実施例で示したように、踵部５２ｃが載置される必要はない。第１実施例と同様に、第１の弾性保持部材４１を用いれば、前記ブーツ５２は十分に第２の支持片１３４に支持される。
【００５７】
図８に示すように、スタンド本体１３０の基端部１３２は、矩形状をしている。また、図９及び図１０に示すように、取っ手１３９及び第２の支持片１３４の断面は、三角形となっている。第１の支持片１３１は、第２の支持片１３４の断面形状と対称形となるよう三角形の１つの角部が向き合う断面形状をしている。このように、断面三角形にすることにより、各部は単なる板状よりも強度が向上する。スタンド本体１３０のリンク部１３５の断面は、図１１に示すように、矩形形状をしている。
【００５８】
上記取っ手１３９は、図９に示すように三角形であるため、手で握って持ち運ぶ際には指が痛くなるおそれがあるため、図７の二点鎖線で示したように切り欠き部１３９ａを形成するのが好ましい。
【００５９】
図１２及び図１３は、第３実施例のブーツスタンド２１０を示している。この第３実施例のブーツスタンド２１０は、スタンド本体２３０の強度を高めるために、第１の支持片２３１、第２の支持片２３４、リンク部２３５、及び取っ手２３９の断面形状は、図１３に示すように十字状をしている。基板１２０は、図７に示した第２実施例の基板１２０と同様である。
【００６０】
図１４は、第４実施例のブーツスタンド３１０を示している。この第４実施例のブーツスタンド３１０は、スタンド本体３３０が図１及び図２に示した第１実施例と同様に板状に形成されている。第１実施例のブーツスタンド１０と異なる点は、スタンド本体３３０の第２の支持片３３４が長く形成されていることである。つまり、第２の支持片３３４の下端部３３７と基板２０との間隔が狭くなっている。従って、他方のブーツは、第２の支持片３３４に差し入れ難くなっている。しかし、第２の支持片３３４を長くして第１の支持片３３１と略同じ長さとすることにより、第１及び第２の支持片３３１，３３４のバランスがよく、ブーツスタンド３１０全体として安定した外観性が得られる。
【産業上の利用可能性】
【００６１】
ブーツを長期間保管、或いは展示する際、一足のブーツは上下互い違いに組み合わされて支持されるため、コンパクトとなり、広いエリアを必要としないブーツスタンドとして有用である。
【図面の簡単な説明】
【００６２】
【図１】本発明のブーツスタンドの斜視図である。
【図２】図１に示したブーツスタンドにブーツを掛けた状態の正面図である。
【図３】図２に示した第１の弾性保持部材の平面図である。
【図４】図３おける４−４線に沿った第１の弾性保持部材の断面図である。
【図５】図２に示した第２の支持片の変形例であり、弾性保持部材を第２の支持片に係止するために首部を示した図である。
【図６】図５に示した首部周辺を示した第２の支持片の一部分の斜視図である。
【図７】基板の長さを短くした第２実施例のブーツスタンドの正面図である。
【図８】図７の８−８線に沿った断面図である。
【図９】図７の９−９線に沿った断面図である。
【図１０】図７の１０−１０線に沿った断面図である。
【図１１】図７の１１−１０線に沿った断面図である。
【図１２】第３実施例のブーツスタンドの正面図である。
【図１３】図１２の１３−１３線に沿った断面図である。
【図１４】第４実施例のブーツスタンドの正面図である。
【図１５】従来におけるブーツスタンドの斜視図である。
【符号の説明】
【００６３】
１０，１１０，２１０，３１０：ブーツスタンド、２０，１２０：基板、２０ａ：第１のサイド、２０ｂ：第２のサイド、３０，１３０，２３０，３３０：スタンド本体、３１，１３１，２３１，３３１：第１の支持片、３２，１３２：基端部、３３：上端部、３４，１３４，２３４，３３４：第２の支持片、３４ａ：首部、３５，１３５，２３５：リンク部、３５ａ：第１の接続部、３５ｂ：長尺部、３５ｃ：第２の接続部、３６：第１のフットポケット、３７，１３７：下端部、３８：延長部、３９，１３９取っ手、４０：第２のフットポケット、４１：第１の弾性保持部材、４２：第２の弾性保持部材、５０：一足のブーツ、５１：一方のブーツ、５２：他方のブーツ。
【図１】
2007275224.tif 000003
【図２】
2007275224.tif 000004
【図３】
2007275224.tif 000005
【図４】
2007275224.tif 000006
【図５】
2007275224.tif 000007
【図６】
2007275224.tif 000008
【図７】
2007275224.tif 000009
【図８】
2007275224.tif 000010
【図９】
2007275224.tif 000011
【図１０】
2007275224.tif 000012
【図１１】
2007275224.tif 000013
【図１２】
2007275224.tif 000014
【図１３】
2007275224.tif 000015
【図１４】
2007275224.tif 000016
【図１５】
2007275224.tif 000017